(57)【要約】【課題】作業者が機器に関する最新のメンテナンス情報または故障修理情報を迅速かつ容易に確認することができ、かつ作業者が実際に機器のメンテナンスを実施したか否かを判定することが可能な機器のメンテナンスシステムを提供する。【解決手段】本発明に係る機器のメンテナンスシステムは、バーコードまたは二次元コードが付された機器と、携帯端末と、サーバとを備え、サーバは、記憶部と、送信部と、受信部と、照合部と、判定部と、更新部とを備える。【選択図】図１
2020194236.tif 000002
【特許請求の範囲】
【請求項１】
バーコードまたは二次元コードが付された機器と、
バーコードまたは二次元コードを読み取り可能な携帯端末と、
前記機器のメンテナンス情報および故障修理情報に関するデータが蓄積されている記憶部を有するサーバとを備え、
前記携帯端末と前記サーバは、ネットワークを介して相互に通信可能であり、
前記サーバは、バーコードまたは二次元コードを読み取った前記携帯端末に、バーコードまたは二次元コードが付された前記機器のメンテナンス情報および故障修理情報にアクセスするための作業者ＩＤおよび作業者パスワード入力画面を送信し、
前記サーバは、前記携帯端末の前記入力画面上で入力され送信された作業者ＩＤ、作業者パスワードならびに作業者ＩＤおよび作業者パスワードが送信された時の前記携帯端末の位置情報を受信し、受信した作業者ＩＤ、作業者パスワードおよび前記携帯端末の位置情報と予め登録された作業者ＩＤ、作業者パスワードおよび前記機器の位置情報とを照合し、受信した作業者ＩＤ、作業者パスワードおよび前記携帯端末の位置情報と予め登録された作業者ＩＤ、作業者パスワードおよび前記機器の位置情報とが一致した場合のみ、前記機器のメンテナンス情報および故障修理情報の呼び出し画面を前記携帯端末に送信し、
前記サーバは、前記携帯端末の呼び出し画面でメンテナンス情報が選択された場合、前記機器の消耗品、稼働時間およびメンテナンス方法に関する１以上の最新データを前記携帯端末に送信し、
前記サーバは、前記携帯端末の呼び出し画面で故障修理情報が選択された場合、前記機器の故障履歴、修理履歴、図面、配線図、および修理方法に関する１以上の最新データを前記携帯端末に送信し、
前記サーバは、前記携帯端末にて入力され送信された前記機器の消耗品および稼働時間を含む更新データまたは前記機器の故障履歴および修理履歴を含む更新データを受信し、前記記憶部に記録されている前記機器のメンテナンス情報または故障修理情報を更新することを特徴とする、機器のメンテナンスシステム。
【請求項２】
前記記憶部には、前記機器の消耗品、稼働時間、メンテナンス方法、故障履歴、修理履歴、図面、配線図、および修理方法に関するデータが蓄積されていることを特徴とする、請求項１に記載の機器のメンテナンスシステム。
【請求項３】
前記サーバは、前記携帯端末にて前記機器の消耗品および稼働時間に関する更新データまたは前記機器の故障履歴および修理履歴に関する更新データが送信された際の前記携帯端末の位置情報と、予め登録された前記機器の位置情報とを照合し、前記携帯端末の位置情報と予め登録された前記機器の位置情報とが一致した場合、前記機器のメンテナンスが実際に行われたと判定することを特徴とする、請求項１または２に記載の機器のメンテナンスシステム。
【請求項４】
前記サーバは、前記携帯端末にて入力され送信された前記機器の消耗品および稼働時間を含む更新データまたは前記機器の故障履歴および修理履歴を含む更新データを受信し、前記記憶部に記録されている前記機器の図面および配線図に、前記機器の故障履歴および修理履歴を反映させることを特徴とする、請求項１乃至３のいずれか１項に記載の機器のメンテナンスシステム。
【請求項５】
前記サーバは、予め定められた期間毎に、前記機器のメンテナンスの実施要請を前記携帯端末に通知することを特徴とする、請求項１乃至４のいずれか１項に記載の機器のメンテナンスシステム。
【請求項６】
前記サーバは、前記機器のメーカ、前記機器のレンタル会社、またはシステム管理会社によって運営管理されていることを特徴とする、請求項１乃至５のいずれか１項に記載の機器のメンテナンスシステム。
【請求項７】
前記サーバは、前記機器やその他の機器における過去の故障履歴および修理履歴を学習して、適したメンテナンス方法を提示する学習部をさらに備える、請求項１乃至６のいずれか１項に記載のメンテナンスシステム。
【請求項８】
前記サーバは、前記機器のメンテナンスが実際に行われたと判定された際に、メンテナンスにかかった時間から作業者の評価を行う評価部をさらに備えることを特徴とする、請求項１乃至７のいずれか１項に記載のメンテナンスシステム。
【請求項９】
バーコードまたは二次元コードが付された機器と、
前記バーコードまたは二次元コードを読み取り可能な携帯端末と、
前記携帯端末とネットワークを介して相互に通信可能なサーバとを備え、
前記サーバは、
前記機器のメンテナンス情報および故障修理情報に関するデータが蓄積されている記憶部と、
前記携帯端末に前記機器のメンテナンス情報および故障修理情報に関するデータを送信可能な送信部と、
前記携帯端末に入力され送信された作業者ＩＤ、作業者パスワードならびに前記携帯端末の位置情報を受信可能な受信部と、
予め登録された作業者ＩＤ、作業者パスワードおよび前記機器の位置情報と、前記携帯端末から受信した作業者ＩＤ、作業者パスワードおよび前記携帯端末との位置情報とを比較・照合する照合部と、
前記照合部での比較・照合の結果、予め登録された作業者ＩＤ、作業者パスワードおよび前記機器の位置情報と、携帯端末から受信した作業者ＩＤ、作業者パスワードおよび前記携帯端末との位置情報とが一致した場合に、前記機器のメンテナンスが実際に行われたと判定する判定部と、
前記判定部において、前記機器のメンテナンスが実際に行われたと判定された場合に、前記記憶部に記録された機器のメンテナンス情報および故障修理情報を更新する更新部とを備えることを特徴とする、機器のメンテナンスシステム。
【発明の詳細な説明】
【技術分野】
【０００１】
本発明は、機器のメンテナンスシステムに関し、より詳しくは、作業者が機器に関する最新のメンテナンス情報または故障修理情報を迅速かつ容易に確認することができ、かつ作業者が実際に機器のメンテナンスを実施したか否かを判定することが可能な機器のメンテナンスシステムに関する。
【背景技術】
【０００２】
従来から、機器のメンテナンスにおいて、バーコードを使用してメンテナンスに関する情報を取得するメンテナンスシステムが知られている。
【０００３】
例えば、特許文献１には、以下のステップからなる機器の保守・点検に必要な情報をリアルタイムで知る方法が記載されている（図４参照）。
点検担当者は、携帯端末のカメラを使用して機器に表示されているカラーバーコードを撮影する。
携帯端末には、インストールされているアプリケーションソフトにより撮影したカラーバーコードの内容を解析する。
これにより、例えば「Ａ００１」などの機器番号が解析される。
携帯端末は、解析した情報をサーバに対して送信する。
サーバは、携帯端末から送信された情報を受信し、それに基づき機器データベースを検索し、検索された結果を携帯端末に送信する。
携帯端末はサーバから受信した情報を表示モニタに表示する。
点検担当者は、機器情報のうち、所望の情報を選択する。
例えば、操作方法を知りたい場合は、操作方法のＵＲＬを選択する。
携帯端末は、選択されたＵＲＬに基づき、機器の操作方法を携帯端末の表示モニタに表示する。
【０００４】
特許文献１に記載の発明によれば、上記ステップにより、点検担当者は、携帯端末を利用することにより、機器の保守・点検に必要な情報をリアルタイムで知ることが出来るとしている。
【先行技術文献】
【特許文献】
【０００５】
【特許文献１】特開２０１６−１２６５５３号公報
【発明の概要】
【発明が解決しようとする課題】
【０００６】
上記の通り、特許文献１には、機器に表示されているバーコードを読み取ることによって、機器の保守・点検（メンテナンス）に必要な情報をリアルタイムで得る方法が記載されている。
しかしながら、特許文献１に記載の方法を含む従来のシステムおよび方法では、作業者が、メンテナンス後の最新の機器のメンテナンス情報や故障修理情報を取得することができなかった。
また、メンテナンスシステムから、機器の保守・点検に必要な情報を取得した作業者が、その後実際に機器の保守・点検を実施したか否かについて確認することはできなかった。
【０００７】
本発明は、上記した従来技術の問題点を解決すべくなされたものであって、作業者が機器に関する最新のメンテナンス情報または故障修理情報を迅速かつ容易に確認することができ、かつ作業者が実際に機器のメンテナンスを実施したか否かを判定することが可能な機器のメンテナンスシステムを提供するものである。
【課題を解決するための手段】
【０００８】
請求項１に係る発明は、バーコードまたは二次元コードが付された機器と、
バーコードまたは二次元コードを読み取り可能な携帯端末と、
前記機器のメンテナンス情報および故障修理情報に関するデータが蓄積されている記憶部を有するサーバとを備え、
前記携帯端末と前記サーバは、ネットワークを介して相互に通信可能であり、
前記サーバは、バーコードまたは二次元コードを読み取った前記携帯端末に、バーコードまたは二次元コードが付された前記機器のメンテナンス情報および故障修理情報にアクセスするための作業者ＩＤおよび作業者パスワード入力画面を送信し、
前記サーバは、前記携帯端末の前記入力画面上で入力され送信された作業者ＩＤ、作業者パスワードならびに作業者ＩＤおよび作業者パスワードが送信された時の前記携帯端末の位置情報を受信し、受信した作業者ＩＤ、作業者パスワードおよび前記携帯端末の位置情報と予め登録された作業者ＩＤ、作業者パスワードおよび前記機器の位置情報とを照合し、受信した作業者ＩＤ、作業者パスワードおよび前記携帯端末の位置情報と予め登録された作業者ＩＤ、作業者パスワードおよび前記機器の位置情報とが一致した場合のみ、前記機器のメンテナンス情報および故障修理情報の呼び出し画面を前記携帯端末に送信し、
前記サーバは、前記携帯端末の呼び出し画面でメンテナンス情報が選択された場合、前記機器の消耗品、稼働時間およびメンテナンス方法に関する１以上の最新データを前記携帯端末に送信し、
前記サーバは、前記携帯端末の呼び出し画面で故障修理情報が選択された場合、前記機器の故障履歴、修理履歴、図面、配線図、および修理方法に関する１以上の最新データを前記携帯端末に送信し、
前記サーバは、前記携帯端末にて入力され送信された前記機器の消耗品および稼働時間を含む更新データまたは前記機器の故障履歴および修理履歴を含む更新データを受信し、前記記憶部に記録されている前記機器のメンテナンス情報または故障修理情報を更新することを特徴とする、機器のメンテナンスシステムに関する。
【０００９】
請求項２に係る発明は、前記記憶部には、前記機器の消耗品、稼働時間、メンテナンス方法、故障履歴、修理履歴、図面、配線図、および修理方法に関するデータが蓄積されていることを特徴とする、請求項１に記載の機器のメンテナンスシステムに関する。
【００１０】
請求項３に係る発明は、前記サーバは、前記携帯端末にて前記機器の消耗品および稼働時間に関する更新データまたは前記機器の故障履歴および修理履歴に関する更新データが送信された際の前記携帯端末の位置情報と、予め登録された前記機器の位置情報とを照合し、前記携帯端末の位置情報と予め登録された前記機器の位置情報とが一致した場合、前記機器のメンテナンスが実際に行われたと判定することを特徴とする、請求項１または２に記載の機器のメンテナンスシステムに関する。
【００１１】
請求項４に係る発明は、前記サーバは、前記携帯端末にて入力され送信された前記機器の消耗品および稼働時間を含む更新データまたは前記機器の故障履歴および修理履歴を含む更新データを受信し、前記記憶部に記録されている前記機器の図面および配線図に、前記機器の故障履歴および修理履歴を反映させることを特徴とする、請求項１乃至３のいずれか１項に記載の機器のメンテナンスシステムに関する。
【００１２】
請求項５に係る発明は、前記サーバは、予め定められた期間毎に、前記機器のメンテナンスの実施要請を前記携帯端末に通知することを特徴とする、請求項１乃至４のいずれか１項に記載の機器のメンテナンスシステムに関する。
【００１３】
請求項６に係る発明は、前記サーバは、前記機器のメーカ、前記機器のレンタル会社、またはシステム管理会社によって運営管理されていることを特徴とする、請求項１乃至５のいずれか１項に記載の機器のメンテナンスシステムに関する。
【００１４】
請求項７に係る発明は、前記サーバは、前記機器やその他の機器における過去の故障履歴および修理履歴を学習して、適したメンテナンス方法を提示する学習部をさらに備える、請求項１乃至６のいずれか１項に記載のメンテナンスシステムに関する。
【００１５】
請求項８に係る発明は、前記サーバは、前記機器のメンテナンスが実際に行われたと判定された際に、メンテナンスにかかった時間から作業者の評価を行う評価部をさらに備えることを特徴とする、請求項１乃至７のいずれか１項に記載のメンテナンスシステムに関する。
【００１６】
請求項９に係る発明は、バーコードまたは二次元コードが付された機器と、
前記バーコードまたは二次元コードを読み取り可能な携帯端末と、
前記携帯端末とネットワークを介して相互に通信可能なサーバとを備え、
前記サーバは、
前記機器のメンテナンス情報および故障修理情報に関するデータが蓄積されている記憶部と、
前記携帯端末に前記機器のメンテナンス情報および故障修理情報に関するデータを送信可能な送信部と、
前記携帯端末に入力され送信された作業者ＩＤ、作業者パスワードならびに前記携帯端末の位置情報を受信可能な受信部と、
予め登録された作業者ＩＤ、作業者パスワードおよび前記機器の位置情報と、前記携帯端末から受信した作業者ＩＤ、作業者パスワードおよび前記携帯端末との位置情報とを比較・照合する照合部と、
前記照合部での比較・照合の結果、予め登録された作業者ＩＤ、作業者パスワードおよび前記機器の位置情報と、携帯端末から受信した作業者ＩＤ、作業者パスワードおよび前記携帯端末との位置情報とが一致した場合に、前記機器のメンテナンスが実際に行われたと判定する判定部と、
前記判定部において、前記機器のメンテナンスが実際に行われたと判定された場合に、前記記憶部に記録された機器のメンテナンス情報および故障修理情報を更新する更新部とを備えることを特徴とする、機器のメンテナンスシステムに関する。
【発明の効果】
【００１７】
請求項１に係る発明によれば、機器のメンテナンスシステムが、バーコードまたは二次元コードが付された機器と、バーコードまたは二次元コードを読み取り可能な携帯端末と、機器のメンテナンス情報および故障修理情報に関するデータが蓄積されている記憶部を有するサーバとを備え、携帯端末とサーバは、ネットワークを介して相互に通信可能であり、サーバは、バーコードまたは二次元コードを読み取った携帯端末に、バーコードまたは二次元コードが付された機器のメンテナンス情報および故障修理情報にアクセスするための作業者ＩＤおよび作業者パスワード入力画面を送信し、サーバは、携帯端末の入力画面上で入力され送信された作業者ＩＤ、作業者パスワードならびに作業者ＩＤおよび作業者パスワードが送信された時の携帯端末の位置情報を受信し、受信した作業者ＩＤ、作業者パスワードおよび携帯端末の位置情報と予め登録された作業者ＩＤ、作業者パスワードおよび機器の位置情報とを照合し、受信した作業者ＩＤ、作業者パスワードおよび携帯端末の位置情報と予め登録された作業者ＩＤ、作業者パスワードおよび機器の位置情報とが一致した場合のみ、機器のメンテナンス情報および故障修理情報の呼び出し画面を携帯端末に送信し、サーバは、携帯端末の呼び出し画面でメンテナンス情報が選択された場合、機器の消耗品、稼働時間およびメンテナンス方法に関する１以上の最新データを前記携帯端末に送信し、サーバは、携帯端末の呼び出し画面で故障修理情報が選択された場合、機器の故障履歴、修理履歴、図面、配線図、および修理方法に関する１以上の最新データを携帯端末に送信し、サーバは、携帯端末にて入力され送信された機器の消耗品および稼働時間を含む更新データまたは機器の故障履歴および修理履歴を含む更新データを受信し、記憶部に記録されている機器のメンテナンス情報または故障修理情報を更新することを構成要件としているため、作業者は、機器に付されたバーコードまたは二次元コードを携帯端末で読み取り、パスワードとＩＤをその場で入力することのみで、その機器に関する最新のメンテナンス情報または故障修理情報を迅速かつ容易に確認することができる。
また、サーバは、受信した作業者ＩＤ、作業者パスワードおよび携帯端末の位置情報と予め登録された作業者ＩＤ、作業者パスワードおよび機器の位置情報とが一致した場合にのみ、機器のメンテナンス情報および故障修理情報の呼び出し画面を携帯端末に送信するため、実際に作業者が機器のそばにおり機器のメンテナンスを開始する場合にのみ、作業者が機器のメンテナンス情報を閲覧できるように構成できる。
【００１８】
請求項２に係る発明によれば、記憶部には、機器の消耗品、稼働時間、メンテナンス方法、故障履歴、修理履歴、図面、配線図、および修理方法に関するデータが蓄積されているため、作業者は、機器に付されたコードを携帯端末で読み取り、パスワードとＩＤをその場で入力することのみで、その機器に関する消耗品、稼働時間、メンテナンス方法、故障履歴、修理履歴、図面、配線図、および修理方法のデータを迅速かつ容易に取得できる。
【００１９】
請求項３に係る発明によれば、サーバは、携帯端末にて機器の消耗品および稼働時間に関する更新データまたは機器の故障履歴および修理履歴に関する更新データが送信された際の携帯端末の位置情報と、予め登録された機器の位置情報とを照合し、携帯端末の位置情報と予め登録された機器の位置情報とが一致した場合、機器のメンテナンスが実際に行われたと判定するため、現場で直接確認しなくとも、作業者が実際に機器のメンテナンスを実施したか否かを容易に判定・監視することができる。
【００２０】
請求項４に係る発明によれば、サーバは、携帯端末にて入力され送信された機器の消耗品および稼働時間を含む更新データまたは機器の故障履歴および修理履歴を含む更新データを受信し、記憶部に記録されている機器の図面および配線図に、機器の故障履歴および修理履歴を反映させるため、作業者は、視覚的に機器の最新の状態を把握することができる。
【００２１】
請求項５に係る発明によれば、サーバは、予め定められた期間毎に、機器のメンテナンスの実施要請を携帯端末に通知するため、作業者は容易かつ確実に機器のメンテナンスを実施できる。
【００２２】
請求項６に係る発明によれば、サーバは、機器のメーカ、機器のレンタル会社、またはシステム管理会社によって運営管理されているため、機器のメンテナンス状況を、機器のユーザだけでなく、機器のメーカ、機器のレンタル会社、またはシステム管理会社も容易に把握することができる。
【００２３】
請求項７に係る発明によれば、サーバは、機器やその他の機器における過去の故障履歴および修理履歴を学習して、適したメンテナンス方法を提示する学習部をさらに備えるため、機器毎に、最適なメンテナンス方法を作業者に提示できる。そのため、作業者間のスキルの差等によるメンテナンスのバラつきを軽減することができる。
【００２４】
請求項８に係る発明によれば、サーバは、機器のメンテナンスが実際に行われたと判定された際に、メンテナンスにかかった時間から作業者の評価を行う評価部をさらに備えるため、作業者のスキルを評価することができる。
【００２５】
請求項９に係る発明によれば、機器のメンテナンスシステムが、バーコードまたは二次元コードが付された機器と、バーコードまたは二次元コードを読み取り可能な携帯端末と、携帯端末とネットワークを介して相互に通信可能なサーバとを備え、サーバは、機器のメンテナンス情報および故障修理情報に関するデータが蓄積されている記憶部と、携帯端末に機器のメンテナンス情報および故障修理情報に関するデータを送信可能な送信部と、携帯端末に入力され送信された作業者ＩＤ、作業者パスワードならびに携帯端末の位置情報を受信可能な受信部と、予め登録された作業者ＩＤ、作業者パスワードおよび機器の位置情報と、携帯端末から受信した作業者ＩＤ、作業者パスワードおよび携帯端末との位置情報とを比較・照合する照合部と、照合部での比較・照合の結果、予め登録された作業者ＩＤ、作業者パスワードおよび機器の位置情報と、携帯端末から受信した作業者ＩＤ、作業者パスワードおよび携帯端末との位置情報とが一致した場合に、機器のメンテナンスが実際に行われたと判定する判定部と、判定部において、機器のメンテナンスが実際に行われたと判定された場合に、記憶部に記録された機器のメンテナンス情報および故障修理情報を更新する更新部とを備えるため、作業者は、機器に付されたバーコードまたは二次元コードを携帯端末で読み取り、パスワードとＩＤをその場で入力することのみで、その機器に関する最新のメンテナンス情報または故障修理情報を迅速かつ容易に確認することができる。
また、現場で直接確認しなくとも、作業者が実際に機器のメンテナンスを実施したか否かを容易に判定・監視することができる。
【図面の簡単な説明】
【００２６】
【図１】本発明に係る機器のメンテナンスシステムの概略説明図である。
【図２】本発明に係る機器のメンテナンスシステムのフローチャートである。
【図３】本発明に係る機器のメンテナンスシステムの他の実施形態のフローチャートである。
【図４】従来の機器のメンテナンスシステムのフローチャートである。
【発明を実施するための形態】
【００２７】
以下、本発明に係る機器のメンテナンスシステムの実施形態について、図面を参照しながら詳細に説明するが、本発明の技術的範囲がこれらの記載によって制限されるべきものではない。
図１は、本発明に係る機器のメンテナンスシステムの概略説明図である。
【００２８】
本発明に係る機器のメンテナンスシステムは、バーコードまたは二次元コード（２）が付された機器（１）と、バーコードまたは二次元コード（２）を読み取り可能な携帯端末（３）と、機器（１）のメンテナンス情報および故障修理情報に関するデータが蓄積されている記憶部（４１）を有するサーバ（４）とを備えている。
【００２９】
バーコードまたは二次元コード（２）が付された機器（１）は、バーコードまたは二次元コード（２）を付すことができる機器、機械、装置類であれば、いかなるものでも用いることができる。
なお、バーコードまたは二次元コード（２）は、機器に物理的に貼付したものであっても良く、機器が備える、または機器に設けられたディスプレイ等の表示手段に表示されたものであっても良い。
【００３０】
バーコードまたは二次元コード（２）を読み取り可能な携帯端末（３）は、バーコードまたは二次元コード（２）を読み取り可能なカメラ等の読み取り手段を備えるものであり、作業者が持ち運び可能なものであり、且つネットワーク（５）を介してサーバ（４）と相互に通信可能であり、位置情報をサーバ（４）に送信できるものであれば、タブレットやスマートフォン等、いかなる携帯端末でも用いることができる。
【００３１】
サーバ（４）は、ネットワーク（５）を介して携帯端末（３）と相互に通信可能であるように構成されている。
サーバ（４）は、機器（１）を購入したユーザ、工場等の機器（１）の設置場所、機器（１）のメーカ、機器（１）のレンタル会社、および／またはシステム管理会社等によって運営管理されている。
【００３２】
サーバ（４）は、機器（１）のメンテナンス情報および故障修理情報に関するデータが蓄積されている記憶部（４１）を備えている。
記憶部（４１）には、機器（１）の消耗品、稼働時間およびメンテナンス方法の少なくとも１以上のメンテナンス情報、ならびに機器（１）の故障履歴、修理履歴、図面、配線図、および修理方法の少なくとも１以上の故障修理情報が記憶・蓄積されている。
なお、記憶部（４１）には、上記したメンテナンス情報および故障修理情報以外にも、機器（１）の型番やスペック等の機器情報等、機器（１）のメンテナンスに有用となり得る情報であればいかなる情報でも記憶され得る。
【００３３】
サーバ（４）は、機器（１）のメンテナンス情報および故障修理情報に関するデータを、ネットワーク（５）を介して携帯端末（３）に送信する送信部（４２）を備えている。
送信部（４２）は、機器（１）に付されたバーコードまたは二次元コード（２）を読み取った携帯端末（３）に、バーコードまたは二次元コード（２）が付された機器（１）のメンテナンス情報および故障修理情報にアクセスするための作業者ＩＤおよび作業者パスワード入力画面を送信するように構成されている。
送信部（４２）は、後述する受信部（４３）が受信した作業者ＩＤ、作業者パスワードおよび携帯端末（３）の位置情報と、サーバ（４）に予め登録された作業者ＩＤ、作業者パスワードおよび機器（１）の位置情報とが後述する照合部（４４）により照合され、これらの情報が一致した場合、機器（１）に付されたバーコードまたは二次元コード（２）を読み取った携帯端末（３）に、機器（１）のメンテナンス情報および故障修理情報の呼び出し画面を携帯端末（３）に送信するように構成されている。
送信部（４２）は、呼び出し画面でメンテナンス情報が選択された場合には、記憶部（４１）に記憶されているメンテナンス情報を携帯端末（３）に送信し、呼び出し画面で故障修理情報が選択された場合には、記憶部（４１）に記憶されている故障修理情報を携帯端末（３）に送信するように構成されている。
送信部（４２）が送信するメンテナンス情報および故障修理情報は、受信部（４３）が受信し、記憶部（４１）において更新されたメンテナンス情報および故障修理情報である。
これにより、送信部（４２）は、過去のメンテナンスおよび故障修理が反映された最新のメンテナンス情報および故障修理情報を作業者に伝達することができる。
【００３４】
サーバ（４）は、機器（１）に付されたバーコードまたは二次元コード（２）を読み取った携帯端末（３）からネットワーク（５）を介して情報を受信する受信部（４３）を備えている。
受信部（４３）は、携帯端末（３）の作業者ＩＤおよび作業者パスワード入力画面上で入力され送信された作業者ＩＤ、作業者パスワードならびに作業者ＩＤおよび作業者パスワードが送信された時の携帯端末（３）の位置情報を受信するように構成されている。
受信部（４３）は、携帯端末（３）にて入力され送信された機器（１）の消耗品および稼働時間を含む更新データまたは機器（１）の故障履歴および修理履歴を含む更新データおよび／または更新データが送信された際の携帯端末（３）の位置情報を受信するように構成されている。
【００３５】
サーバ（４）は、予め登録された作業者ＩＤ、作業者パスワードおよび機器（１）の位置情報と、携帯端末（３）から受信した情報とを比較・照合する照合部（４４）を備えている。
照合部（４４）は、携帯端末（３）の作業者ＩＤおよび作業者パスワード入力画面上で入力され送信され受信した作業者ＩＤ、作業者パスワードおよび携帯端末（３）の位置情報と予め登録された作業者ＩＤ、作業者パスワードおよび機器（１）の位置情報とを照合し、受信した作業者ＩＤ、作業者パスワードおよび携帯端末（３）の位置情報と予め登録された作業者ＩＤ、作業者パスワードおよび機器（１）の位置情報とが一致しているか否かを比較・照合するように構成されている。
照合部（４４）は、携帯端末（３）から、機器（１）の消耗品および稼働時間に関する更新データまたは機器（１）の故障履歴および修理履歴に関する更新データが送信された際の携帯端末（３）の位置情報と、予め登録された機器（１）の位置情報とが一致しているか否かを比較・照合するように構成されている。
サーバ（４）が照合部（４４）を備えることにより、照合部（４４）の照合結果に基づいて、後述する判定部（４５）が、作業者が機器のメンテナンスを実際に実施しようとしているのか、あるいは実際に実施したのかを判定することができる。
【００３６】
サーバ（４）は、照合部（４４）にて比較・照合された結果に基づいて、機器（１）のメンテナンスが実際に行われたか否かを判定する判定部（４５）を備えている。
判定部（４５）は、照合部（４４）が、携帯端末（３）の作業者ＩＤおよび作業者パスワード入力画面上で入力され送信され受信した作業者ＩＤ、作業者パスワードおよび携帯端末（３）の位置情報と予め登録された作業者ＩＤ、作業者パスワードおよび機器（１）の位置情報とが一致していると判断した場合のみ、作業者が実際に機器のメンテナンスを開始すると判定し、送信部（４２）に、機器（１）のメンテナンス情報および故障修理情報の呼び出し画面を携帯端末（３）に送信するよう指示を出すように構成されている。
判定部（４５）は、照合部（４４）が、携帯端末（３）から、機器（１）の消耗品および稼働時間に関する更新データまたは機器（１）の故障履歴および修理履歴に関する更新データが送信された際の携帯端末（３）の位置情報と、予め登録された機器（１）の位置情報とが一致していると判断した場合に、作業者が実際に機器のメンテナンスを実施したと判定し、受信した更新データに記憶部（４１）の情報を更新するよう、後述する更新部（４６）に指示を出すように構成されている。
作業者が実際に機器のメンテナンスを実施していないと判定した場合、判定部（４５）は、作業者、ユーザ、および／または機器やサーバ（４）の管理会社等へ判定結果を通知する。
サーバ（４）が判定部（４５）を備えることにより、作業者が実際にメンテナンスを開始しようとしているのか、または実際にメンテナンスを実施したのかを判定することができる。
これにより、作業者の動向を直接確認せずとも、作業者が機器のメンテナンスを実際に実施したか否かを確認することができる。
【００３７】
なお、本発明に係る機器のメンテナンスシステムは、機器のメンテナンス情報および故障修理情報にアクセスするための作業者ＩＤおよび作業者パスワード入力画面を送信してから、作業者が機器（１）の消耗品および稼働時間を含む更新データまたは機器（１）の故障履歴および修理履歴を含む更新データを送信するまでの間に作業者が作業場から離れたか否かを判定するように構成されていても良い。
これにより、作業者が作業中に持ち場を離れていないか、作業の無駄がないか等、個々の作業者の業務状況や作業場のシステムの問題点や改善点等を確認することができる。
【００３８】
サーバ（４）は、記憶部（４１）に記録されている機器（１）のメンテナンス情報および故障修理情報を更新する更新部（４６）を備えている。
更新部（４６）は、受信した更新データに記憶部（４１）の情報を更新する旨の指示を判定部（４５）から受け取った後、受信した更新データ（機器の消耗品および稼働時間を含む更新データおよび／または前記機器の故障履歴および修理履歴を含む更新データ）に記憶部（４１）に記録されている情報を更新するように構成されている。
【００３９】
サーバ（４）は、予め定められた期間毎に、機器（１）のメンテナンスの実施要請を携帯端末（３）に通知する通知部（４７）を備えていても良い。
予め定められた期間は、任意に設定することができ、例えば、１ヶ月、２ヶ月、６ヶ月、１年など、メンテナンス対象の機器によって任意に設定することができる。
サーバ（４）が通知部（４７）を備えていることによって、定期メンテナンスのスケジュール管理が容易となり、より容易にメンテナンス対象の機器を管理することができる。
【００４０】
サーバ（４）は、機器（１）やその他の機器における過去の故障履歴および修理履歴を学習して、適したメンテナンス方法を提示するための学習部（４８）を備えていても良い。
学習部（４８）は、これまでサーバ（４）に蓄積された情報や、他のサーバに蓄積された情報に基づいて、メンテナンス対象の機器（１）における故障しやすい箇所（報告頻度や回数等から判断）や有効なメンテナンスおよび修理方法（次のメンテナンス時期や修理時期、メンテナンスの所要時間等から判断）を学習し、学習した情報に基づいて作業者にメンテナンス方法および修理方法を提示するように構成されている。
これにより、作業者は、客観的な情報に基づいた、効率的なメンテナンスおよび修理方法を本発明に係る機器のメンテナンスシステムから取得してメンテナンスおよび修理を実施できる。
【００４１】
サーバ（４）は、機器（１）のメンテナンスが実際に行われたと判定部（４５）により判定された際に、機器（１）のメンテナンスにかかった時間から、作業者の評価を行う評価部（４９）を備えていても良い。
評価の方法は、対象となる機器（１）やメンテナンス内容により任意に設定することができる。
これにより、作業者のメンテナンスの技術を客観的に評価することが可能となる。
【００４２】
以下に、本発明に係る機器のメンテナンスシステムを用いた機器のメンテナンス方法のフローチャートを説明する。
図２は、本発明に係る機器のメンテナンスシステムのフローチャートである。
【００４３】
＜Ｓ１＞
サーバ（４）は、携帯端末（３）が機器（１）に付されたバーコードまたは二次元コード（２）を読み取ったか否かについて受信部（４２）を介して確認するように構成されている。
【００４４】
＜Ｓ２＞
サーバ（４）は、機器（１）に付されたバーコードまたは二次元コード（２）が携帯端末（３）に読み取られたことを確認した場合、作業者ＩＤおよび作業者パスワード入力画面を携帯端末（３）に送信する。
【００４５】
＜Ｓ３＞
サーバ（４）は、作業者が携帯端末（３）に入力して送信された作業者ＩＤおよび作業者パスワード入力画面ならびにこれらの情報が送信された際の携帯端末（３）の位置情報を受信する。
【００４６】
＜Ｓ４＞
サーバ（４）は、受信した作業者ＩＤおよび作業者パスワード入力画面ならびにこれらの情報が送信された際の携帯端末（３）の位置情報と、予め登録されている作業者ＩＤおよび作業者パスワード入力画面ならびに機器（１）の位置情報とが一致するか否かを照合する。
【００４７】
＜Ｓ５＞
Ｓ４で照合された情報が一致する場合、サーバ（４）は、携帯端末（３）に機器（１）のメンテナンス情報および故障修理情報の呼び出し画面を携帯端末（３）に送信する。
【００４８】
＜Ｓ６＞
作業者が、メンテナンス情報および故障修理情報の呼び出し画面において、メンテナンス情報または故障修理情報の呼び出しを選択した場合、サーバ（４）は、選択されたメンテナンス情報または故障修理情報を携帯端末（３）に送信する。
【００４９】
＜Ｓ７−１＞
作業者が、機器（１）のメンテナンスを完了し、携帯端末（３）に入力し送信した機器（１）に関する更新情報を、サーバ（４）が受信する。
【００５０】
＜Ｓ８−１＞
サーバ（４）は、受信した更新情報に基づいて、記憶部（４１）に記録された機器（１）のメンテナンス情報を更新する。
【００５１】
以下に、本発明の別の実施形態に係る機器のメンテナンスシステムを用いた機器のメンテナンス方法のフローチャートを説明する。
図３は、本発明に係る機器のメンテナンスシステムの他の実施形態のフローチャートである。
【００５２】
＜Ｓ１〜Ｓ６＞
ステップＳ１〜Ｓ６は、上記した実施形態と同様である。
【００５３】
＜Ｓ７−２＞
作業者が、機器（１）のメンテナンスを完了し、携帯端末（３）に入力し送信した機器（１）に関する更新情報に加えて、更新情報を送信した時の携帯端末（３）の位置情報を、サーバ（４）が受信する。
【００５４】
＜Ｓ８−２＞
Ｓ７−２で受信した携帯端末（３）の位置情報と予め登録されている機器（１）の位置情報とが一致するか否かを照合する。
【００５５】
＜Ｓ９＞
Ｓ８−２で照合された情報が一致する場合、サーバ（４）は、機器（１）のメンテナンスが実際に行われたと判定する。
Ｓ８−２で照合された情報が一致しない場合、サーバ（４）は、機器（１）のメンテナンスが実際に行われていない可能性があると判定し、作業者、ユーザ、および／または機器やサーバ（４）の管理会社等へ判定結果を通知する。
【００５６】
＜Ｓ１０＞
機器（１）のメンテナンスが実際に行われたと判定された場合、サーバ（４）は、受信した更新情報に基づいて、記憶部（４１）に記録された機器（１）のメンテナンス情報を更新する。
【産業上の利用可能性】
【００５７】
本発明に係る機器のメンテナンスシステムによれば、機器のメンテナンスシステムが、バーコードまたは二次元コードが付された機器と、バーコードまたは二次元コードを読み取り可能な携帯端末と、機器のメンテナンス情報および故障修理情報に関するデータが蓄積されている記憶部を有するサーバとを備え、携帯端末と前記サーバは、ネットワークを介して相互に通信可能であり、サーバは、バーコードまたは二次元コードを読み取った携帯端末に、バーコードまたは二次元コードが付された機器のメンテナンス情報および故障修理情報にアクセスするための作業者ＩＤおよび作業者パスワード入力画面を送信し、サーバは、携帯端末の入力画面上で入力され送信された作業者ＩＤ、作業者パスワードならびに作業者ＩＤおよび作業者パスワードが送信された時の携帯端末の位置情報を受信し、受信した作業者ＩＤ、作業者パスワードおよび携帯端末の位置情報と予め登録された作業者ＩＤ、作業者パスワードおよび機器の位置情報とを照合し、受信した作業者ＩＤ、作業者パスワードおよび携帯端末の位置情報と予め登録された作業者ＩＤ、作業者パスワードおよび機器の位置情報とが一致した場合のみ、機器のメンテナンス情報および故障修理情報の呼び出し画面を携帯端末に送信し、サーバは、携帯端末の呼び出し画面でメンテナンス情報が選択された場合、機器の消耗品、稼働時間およびメンテナンス方法に関する１以上の最新データを前記携帯端末に送信し、サーバは、携帯端末の呼び出し画面で故障修理情報が選択された場合、機器の故障履歴、修理履歴、図面、配線図、および修理方法に関する１以上の最新データを携帯端末に送信し、サーバは、携帯端末にて入力され送信された機器の消耗品および稼働時間を含む更新データまたは機器の故障履歴および修理履歴を含む更新データを受信し、記憶部に記録されている機器のメンテナンス情報または故障修理情報を更新することを構成要件としているため、作業者は、機器に付されたコードを携帯端末で読み取り、パスワードとＩＤをその場で入力することのみで、その機器に関する最新のメンテナンス情報または故障修理情報を迅速かつ容易に確認することができる。
また、サーバは、受信した作業者ＩＤ、作業者パスワードおよび携帯端末の位置情報と予め登録された作業者ＩＤ、作業者パスワードおよび機器の位置情報とが一致した場合にのみ、機器のメンテナンス情報および故障修理情報の呼び出し画面を携帯端末に送信するため、実際に作業者が作業現場にいる場合にのみ、作業者が機器のメンテナンス情報を閲覧できるように構成できる。
【００５８】
それゆえに、本発明に係る機器のメンテナンスシステムは、バーコードまたは二次元コードを付すことができる様々な機器、機械、装置等のメンテナンスシステムとして幅広く利用することができる。
【符号の説明】
【００５９】
１    機器
２    バーコードまたは二次元コード
３    携帯端末
４    サーバ
４１  記憶部
４２  送信部
４３  受信部
４４  照合部
４５  判定部
４６  更新部
４７  通知部
４８  学習部
４９  評価部
５    ネットワーク
【図１】
2020194236.tif 000003
【図２】
2020194236.tif 000004
【図３】
2020194236.tif 000005
【図４】
2020194236.tif 000006